(57)【要約】【課題】１本の線材のみでフレーム体を構成するとともに、簡単な構造でレンズ体の取付ができ、軽量で丈夫な眼鏡を提供することを目的とする。【解決手段】フレーム体１は１本の線材からなり、両端部分をテンプル部２とするとともに中央部分をブローバー部４とし、その間にブリッジ部９及びパッド取付部１３を折り曲げて形成する。フレーム体１のテンプル部２とブローバー部４との間にはレンズ体１０に向かって突出した屈曲部５が形成されており、ブローバー部４とパッド取付部１３との間にはレンズ体１０に向かって突出した係合部６がある。レンズ体１０は、屈曲部５と係合部６がそれぞれ係合孔１１及び係合孔１２に係合されて保持される。【選択図】図１
2005201945.tif 000002
【特許請求の範囲】
【請求項１】
１本の線材からなり両端部分をそれぞれテンプル部とするとともに中央部分をブローバー部とするフレーム体と、前記ブローバー部に装着されるレンズ体とを備えた眼鏡であって、前記フレーム体は前記各テンプル部と前記ブローバー部との間に前記レンズ体に向かって突出した屈曲部が形成されており、前記レンズ体には前記屈曲部が係合する係合孔が形成されていることを特徴とする眼鏡。
【請求項２】
前記線材は、弾性を有する材料からなることを特徴とする請求項１に記載の眼鏡。
【請求項３】
前記各テンプル部は、前記ブローバー部に沿って延びる延長線上に沿って形成されるとともに、互いに近接するように湾曲形成されていることを特徴とする請求項１又は２に記載の眼鏡。
【請求項４】
前記係合孔は、前記延長線上に沿った長孔に形成されており、該長孔の両端部に前記屈曲部の折曲部分が係止されていることを特徴とする請求項３に記載の眼鏡。 
【発明の詳細な説明】
【技術分野】
【０００１】
本発明は、眼鏡に関し、特に、フレーム体が線材により構成され、レンズ体に孔部が配設された眼鏡に関する。
【背景技術】
【０００２】
眼鏡では、従来より軽量化やデザイン性、組立作業効率向上の観点からフレーム体を線材で構成されたものが提案されている。
【０００３】
例えば、特許文献１には、孔部が設けられたレンズと、該孔部に挿入してレンズを保持する保持部を有する固定部材を備えたブローバーとを有する眼鏡が記載されている。また、特許文献２には、細棒材からなるフロントバーと、前記フロントバー前面側に垂設されたフックと、グラス部材の上部両側をフロントバーに着脱自在に掛止する止着具とを備えたサングラスが記載されている。また、特許文献３には、ワタリに湾曲したマユを形成し、レンズはマユに２箇所の止着部をもって取り付けられ、一方の止着部はネジ止めとし、他方の止着部はピンをレンズのピン穴に嵌めるように構成した眼鏡が記載されている。また、特許文献４には、横長のフロントバーまたはリム枠にレンズ後面を支える掛止突起を突設する一方、レンズには止着孔を穿設して、前記掛止突起をもってレンズの止着孔を貫刺止着することによりフロント部を構成した眼鏡が記載されている。また、特許文献５には、縁なし眼鏡において、孔部が配設されたレンズと、垂直方向に屈曲された線材を保持部として前記孔部に嵌合して、前記保持部の弾性力で前記レンズを保持する点が記載されている。
【特許文献１】特開平１０−２０６７９９号公報
【特許文献２】特開２００１−３５０１２１号公報
【特許文献３】特開２００２−３５７７９０号公報
【特許文献４】特開２００３−７５７７９号公報
【特許文献５】欧州特許出願公開第０５４６５８９号明細書
【発明の開示】
【発明が解決しようとする課題】
【０００４】
こうした従来の眼鏡では、線材を用いてはいるものの他の部材との組み合わせが必要で、複雑な形状加工も必要となり、依然として製造工程が複雑となっている。特許文献１では、フレーム体のレンズ保持部がもともとは一体ではなく別部材となっており、製造工程でろう付け等の加工が必要であり、ろう付け部は長期使用の繰返し応力で破損しやすい。特許文献２と３では、レンズ体とフレーム体を繋ぐ止着具が別の小さいパーツ部材となっており、レンズとの接合作業が必要となる。こうしたパーツ部材は、緩んで外れるおそれがあり、そのための対策も必要となる。特許文献４では、フレーム体のレンズ保持部が一体加工で突設されているので、そのための加工が必要であり、コストアップにつながる。特許文献５では、線材を垂直方向に屈曲することでレンズ保持部としているが、眼鏡装着時等にテンプルを開いたときにレンズに無理な力がかかりやすく、レンズが破損しやすい。また、レンズの保持力が弱く運動時等にレンズが外れるおそれがある。
【０００５】
そこで、本発明では、１本の線材からフレーム体を構成するとともに、簡単な構造でレンズ体が取り付けでき、軽量で丈夫な眼鏡を提供することを目的とする。
【課題を解決するための手段】
【０００６】
本発明に係る眼鏡は、１本の線材からなり両端部分をそれぞれテンプル部とするとともに中央部分をブローバー部とするフレーム体と、前記ブローバー部に装着されるレンズ体とを備えた眼鏡であって、前記フレーム体は、前記各テンプル部と前記ブローバー部との間に前記レンズ体に向かって突出した屈曲部が形成されており、前記レンズ体には前記屈曲部が係合する係合孔が形成されていることを特徴とする。
【０００７】
さらに、前記各テンプル部は、前記ブローバー部に沿って延びる延長線上に沿って形成されるとともに、互いに近接するように湾曲形成されていることを特徴とする。
【０００８】
さらに、前記係合孔は、前記延長線上に沿った長孔に形成されており、該長孔の両端部に前記屈曲部の折曲部分が係止されていることを特徴とする。
【発明の効果】
【０００９】
本発明は、上記のような構成を有することで、フレーム体を１本の線材で構成し、フレーム体の屈曲部をレンズ体の係合孔に係合してレンズ体を保持するようにしているので、簡単な構造でレンズ体をしっかり保持することができる。すなわち、屈曲部はテンプル部とブローバー部との間に形成されているため、屈曲部においてレンズ体がテンプル部及びブローバー部と接するようになり、安定した状態で保持されるようになる。また、レンズ体の保持に小さなパーツ部材等を使用しないのでパーツ部材の緩みによりレンズ体が外れることがない。
【００１０】
そして、線材として弾性を有する材料を用いることで、屈曲部において弾性力によりレンズ体の係合孔にしっかりと係合することができる。
【００１１】
さらに、各テンプル部が前記ブローバー部に沿って伸びる延長線上に沿って形成されるとともに、互いに近接するように湾曲形成されていることで、線材の加工が容易になるとともにデザイン的にも優れたものとなる。又、テンプル部を開く動作もフレーム体やレンズ体に無理な力が加わることなく行うことができ、眼鏡装着時においても使用者の側頭部にテンプル部全体が圧接して安定した装着状態となる。
【００１２】
さらに、係合孔を延長線上に沿った長孔に形成し、長孔の両端部に屈曲部の折曲部分を係止することで、テンプル部の開閉動作の際にも屈曲部が係合孔から外れることなく、安定した状態でレンズ体をフレーム体に保持することができる。
【発明を実施するための最良の形態】
【００１３】
以下、本発明に係る眼鏡に関する実施形態について詳しく説明する。なお、以下に説明する実施形態は、本発明を実施するにあたって好ましい具体例であるから、技術的に種々の限定がなされているが、本発明は、以下の説明において特に発明を限定する旨明記されていない限り、これらの形態に限定されるものではない。
【００１４】
図１は本発明に係る実施形態に関する斜視図を示し、図２は、その分解斜視図を示している。フレーム体１は、１本の線材を屈曲して構成されており、その両端部分はテンプル部２で、その先端部にモダン３が固着されている。フレーム体１の中央部分には２つのブローバー部４がわずかに上向きに湾曲して形成されている。そして、テンプル部２とブローバー部４の間には後述するレンズ体１０を保持するための屈曲部５が形成されている。２つのブローバー部４の間には、１対のパッド取付部１３が線材を折り曲げて形成されている。そのパッド取付部１３とブローバー部４の間には後述するレンズ体１０を保持するための係合部６が形成されている。パッド取付部１３は、係合部６の端部で斜め下向きに線材を折り曲げて所定の長さの直線部分を形成した後折り返して、鼻パッド７の嵌合突起部８を収納するように湾曲させて形成されている。そして、折り返した後下向きの直線部分に沿って上向きの直線部分を形成してブローバー部４の端部まで戻るように形成され、パッド取付部１３の間に直線状のブリッジ部９が形成される。フレーム体の材質としては、弾性を有するものが好ましい。例えば、金属では、チタン、チタン合金、ニッケル合金等が挙げられ、合成樹脂では、ナイロン系樹脂が挙げられる。
【００１５】
レンズ体１０は横長の一枚レンズからなり、その上部両端には前述のフレーム体１の屈曲部５が係合される係合孔１１が穿設されている。レンズ体１０の鼻パッド７に対向する部分は、幅が狭くなるように下方から切欠きがされており、フレーム体１の係合部６が係合される係合孔１２がコの字状に穿設されている。レンズ体１０の材質は弾性を有したプラスチックの方が好ましいが、ガラス等を使用することも可能である。また、レンズ体１０は横長の１枚レンズ、左右２枚に分割されているレンズのどちらでもよい。
【００１６】
図３及び図４はそれぞれ本発明に係る実施形態に関する平面図及び正面図を示している。図３に示すように、フレーム体は楕円状に湾曲して形成されており、テンプル部２が互いに近接するようになっている。そして、ブローバー部４から延びる延長線上に沿ってテンプル部２が形成されている。この形状のためテンプル部２を開いて装着した際、顔面を包み込む形になり、線材の弾性力により側頭部にテンプル部２全体が圧接した状態となる。このため安定した装着状態となる。屈曲部５は、ブローバー部４の端部の折曲部分５ａ、テンプル部２の折曲部分５ｂ及び膨出部分５ｃからなる。レンズ体１０に穿設された係合孔１１は、ブローバー部４に沿った延長線上に沿うように形成された長孔で、図５の拡大図に示すように、係合孔１１の長手方向両端部に折曲部分５ａ、５ｂが係止されることでレンズ体１０に係合される。そして、膨出部分５ｃの膨らんだ形状と、線材の弾性力によって屈曲部５が係合孔１１から抜けることが防止されてガタツキもなく、レンズ体１０が確実に保持されることとなる。また、鼻パッド７はパッド取付部１３の楕円状に湾曲した部分に嵌合突起部８を差し込むことにより簡単確実に取り付けることができる。
【００１７】
係合部６は、ブローバー部４の端部でレンズ体１０に向かって折り曲げられてコ字状の係合孔１２の上部に形成された鉤状部分を通り、さらに下方に折り曲げられて係合孔１２の下方の鉤状部分を通るように折り曲げられてレンズ体１０の裏側に沿って延びるように形成されて、パッド取付部１３に続いている。したがって、係合孔１２により形成されている突出部１２ａを囲むように係合部６が係合している。以上のように、屈曲部５はレンズ体１０の水平方向の係合孔１１に係合し、係合部６は垂直方向の係合孔１２に係合しているため、レンズ体１０は、左右方向及び上下方向に対するガタツキがなく、安定した状態でフレーム体１に保持される。
【００１８】
図６に示すように、眼鏡を装着する場合等にテンプル部２を矢印Ａ方向に開くと、テンプル部２がレンズ体１０に接するまで揺動しても屈曲部５が変形することはなく、安定した状態が維持される。
【００１９】
フレーム体１にレンズ体１０を取り付ける場合には、フレーム体１の屈曲部５を摘まんで縮め、レンズ体１０の係合孔１１に係合し、係合部６はコ字状の係合孔１２に差込んで、スライドさせて係合する。そして、鼻パッド７をシリコン系樹脂等の柔軟性のある素材を用いて嵌合突起部８を形成しておき、パッド取付部１３の楕円状に湾曲した部分に嵌合突起部８を差し込めば簡単に鼻パッド７を取り付けることができる。
【００２０】
図６に示すように、矢印Ｂ方向にテンプル部２を揺動させて屈曲部５の折曲部５ａ、５ｂを近接させるようにすると、膨出部分５ｃの幅が小さくなり、レンズ体１０から取り付け取り外しができる。したがって、レンズ体をサングラス用に交換したりすることが容易に行うことができる。
【図面の簡単な説明】
【００２１】
【図１】本発明に係る実施形態の斜視図である。
【図２】本発明に係る実施形態の分解斜視図である。
【図３】本発明に係る実施形態の平面図である。
【図４】本発明に係る実施形態の正面図である。
【図５】本発明に係る屈曲部の部分拡大図である。
【図６】本発明に係る屈曲部の係合状態を示す説明図である。
【符号の説明】
【００２２】
１    フレーム体
２    テンプル部
３    モダン
４    ブローバー部
５    屈曲部
5a    折曲部分
5b    折曲部分
5c    膨出部分
６    係合部
７    鼻パッド
８    嵌合突起部
９    ブリッジ部
10    レンズ体
11    係合孔
12    係合孔
12a   突出部
13    パッド取付部
【図１】
2005201945.tif 000003
【図２】
2005201945.tif 000004
【図３】
2005201945.tif 000005
【図４】
2005201945.tif 000006
【図５】
2005201945.tif 000007
【図６】
2005201945.tif 000008